(57)【要約】【課題】  簡素な構成でしかも組み立ても容易に行える映写用スクリーン装置を提供する点にある。【解決手段】  スクリーン１の巻き取り方向両端のそれぞれに、開口部２Ｋ又は４Ｋを通して内部に位置したスクリーン１の端部が開口部２Ｋを通して外部に移動することがないようにスクリーン１端部を係止保持するための係止保持手段５を備えた内部中空の筒体からなる支軸２，４を備えさせ、両支軸２，４内で係止保持手段５にて係止保持されているスクリーン１の左右幅方向一端を他端に対して左右幅方向外方側へ引っ張ることによりスクリーン１に引張力を付与するための引っ張り手段７をそれによる引張力が調節可能な状態で備えさせている。【選択図】      図２
2006154854.tif 000002
【特許請求の範囲】
【請求項１】
スクリーンの巻き取り方向両端の少なくとも一方に、該スクリーン端部が挿入可能な開口部が形成され、かつ、該開口部を通して内部に位置したスクリーンの端部が該開口部を通して外部に移動することがないように該スクリーン端部を係止保持するための係止保持手段を備えた内部中空の筒体からなる支軸を備えさせ、前記支軸内で前記係止保持手段にて係止保持されているスクリーンの幅方向一端を他端に対して該幅方向外方側へ引っ張ることにより該スクリーンに引張力を付与するための引っ張り手段をそれによる引張力が調節可能な状態で備えさせたことを特徴とする映写用スクリーン装置。
【請求項２】
前記スクリーンの巻き取り方向両端のそれぞれに、前記支軸を備えさせ、前記スクリーンの一端に備えた支軸に吊り下げ部材を備えさせ、前記吊り下げ部材にて吊り下げることによりほぼ水平姿勢で上側に位置する吊り下げ用支軸と、この吊り下げ用支軸の下方にほぼ水平姿勢で位置し、かつ、前記スクリーンの他端に備えた巻き取り用支軸とからなる請求項１記載の映写用スクリーン装置。
【請求項３】
前記引っ張り手段が、前記支軸の長手方向両端にそれぞれ開口される開口部を閉じるためのキャップに前記支軸の長手方向に移動自在な状態で貫通された螺子体と、前記螺子体の先端に螺合されると共に前記スクリーンに連結された連結部材とから構成されてなる請求項１又は２記載の映写用スクリーン装置。
【請求項４】
前記螺子体が、前記連結部材に螺合される螺子部と、この螺子部の前記キャップ側の端部に備えられると共に該キャップ外部に突出して指で回転操作可能な回転操作部とから構成されてなる請求項３記載の映写用スクリーン装置。
【請求項５】
前記キャップが合成樹脂にて形成され、前記キャップを成型するための金型内に前記螺子体の頭部を入れて合成樹脂を流し込むことにより該キャップと該螺子体とを一体化してなる請求項３記載の映写用スクリーン装置。
【請求項６】
前記引っ張り手段が、前記係止保持手段のスクリーンの幅方向の少なくとも一端部に一端が固定されかつ他端が前記支軸内部から外部に向けて突出している螺子体と、前記螺子体の突出端に螺合可能な螺子部を備えると共に前記支軸の開口部を閉じるためのキャップとから構成されてなる請求項１又は２記載の映写用スクリーン。
【発明の詳細な説明】
【技術分野】
【０００１】
本発明は、電動モータなどの電動力を用いたり、手動操作力にて支軸を回転させることによりスクリーンを該支軸に巻き取って収納することができるように構成してなる映写用スクリーン装置に関する。
【背景技術】
【０００２】
上記映写用スクリーン装置は、例えば図１７に示すものが挙げられる。これは、スクリーン（スクリーン生地）１の巻き取り方向両端に係止保持するための上下一対の支軸３２，３２（図では下側の右側のみ図示している）を備えさせスクリーン１を上下姿勢に吊り下げ支持させることができるようにしたものが一般的である。尚、上下の支軸３２，３２の構成が同一構成であるため、下側の支軸３２についてのみ説明する。つまり、スクリーン１の下端の表裏両面を低発泡ポリプロピレンなどからなる一対の挟持部材８，８（図では片側のみ示している）にて挟み込んだ後、挟持部材８，８とその間に位置するスクリーン１をスクリーン１の（左右）幅方向に所定間隔を隔てて多数箇所、紙綴じ器（図示せず）にて綴じることにより固定する。次に、前記スクリーン１の幅方向両端の綴じ金３０（図では一方側のみ図示している）のそれぞれに針金３１の一端を通してから、スクリーン１の一端に綴じられた挟持部材８，８が内部中空の支軸３２の内部に位置するように該支軸３２の長手（左右）方向一端からスクリーン１を左右方向に沿って形成された長溝（スリット）３２Ａを通して挿入する。その後、スクリーン１の一端が係止保持されている針金３１の他端を引っ張ることによりスクリーン１に適度な張りを持たせつつ、針金３１の先端を支軸３２の左右端部に引っ掛けた後、キャップ３３を支軸３２の左右端部にそれぞれ嵌合することにより針金３１の他端を挟み込んで固定して、映写用スクリーン装置の組み立て作業を完了するようにしている。
【０００３】
上記のように針金３１を引っ張ってスクリーン１に張りを持たせる場合に、作業者個人の引っ張り力の違いなどによりスクリーン１に所定の張りを持たせることができないだけでなく、組み立て作業終了後の気温の変化やキャップ３３の位置ずれによる針金３１の張りの緩みなどによりスクリーン１が伸びてしまい、スクリーン１に弛みが発生して皺が発生することもあった。また、針金３１を引っ張りながら支軸３２に引っ掛ける作業が大きな引っ張り力を必要とするだけでなく、支軸３２内に指を入れて針金３１の先端を引っぱり出すことも難しい作業となり、作業に多大な労力を要する煩わしいものになっていた。
上記スクリーンに弛みが発生することを回避することができるように、スクリーンの使用時に繰り出されるスクリーンの左右両端のそれぞれに展張支持部を繰り出し自在に備えさせ、スクリーンを左右に配置した展張支持部にて張った状態を常に維持することができるようにしたものが提案されている（例えば、特許文献１参照。）。
【特許文献１】特開平１０−２２１７８０号公報（図１）
【発明の開示】
【発明が解決しようとする課題】
【０００４】
上記特許文献１によれば、スクリーンを巻き取るための巻き取り装置の他に、左右の展張支持部を巻き取るための左右一対の巻き取り装置を必要とするだけでなく、展張支持部が磁石を備えた固定部と、この固定部に軸を介して連結され、かつ、該軸に設けられたバネによりスクリーンを幅方向外方側へ引っ張るための展張部とからなるため、スクリーン装置が多数の部品を必要とする複雑な構成になり、コスト高になるだけでなく、大型化してしまう不都合があった。
【０００５】
本発明が前述の状況に鑑み、解決しようとするところは、簡素な構成でしかも組み立ても容易に行える映写用スクリーン装置を提供する点にある。
【課題を解決するための手段】
【０００６】
本発明の映写用スクリーン装置は、前述の課題解決のために、スクリーンの巻き取り方向両端の少なくとも一方に、該スクリーン端部が挿入可能な開口部が形成され、かつ、該開口部を通して内部に位置したスクリーンの端部が該開口部を通して外部に移動することがないように該スクリーン端部を係止保持するための係止保持手段を備えた内部中空の筒体からなる支軸を備えさせ、前記支軸内で前記係止保持手段にて係止保持されているスクリーンの幅方向一端を他端に対して該幅方向外方側へ引っ張ることにより該スクリーンに引張力を付与するための引っ張り手段をそれによる引張力が調節可能な状態で備えさせたことを特徴としている。
従って、スクリーンの幅方向一端を他端に対して幅方向外方側へ引っ張り手段にて引っ張って引張力を調節（変更）することができる構成であることから、気温変化によるスクリーンの伸びなどが発生した場合でも、所定の引張力をスクリーンに常に付与することができ、スクリーンに皺が発生することを確実に回避することができる。しかも、支軸内でスクリーンの端部を幅方向で張ることにより、支軸に張りを持たせることで、例えば図１８に示すように吊り下げ部材３にてスクリーン１を上下方向に吊り下げて使用する場合に、従来の構成では、スクリーン１の重量が上下の支軸４，２に加わることにより２本の支軸４，２が、図１８の実線で示すように２点鎖線で示す一直線の姿勢からスクリーン１の幅方向両端側ほど下方に垂れ下がった湾曲姿勢になることを抑制することができ、図１８に示すような皺Ｗが発生することを回避することができる。尚、図１８で示すように支軸４，２を上下に水平姿勢で配置している場合には、スクリーンの幅方向が左右方向になり、図１８とは反対に支軸４，２を左右に上下姿勢で配置している場合には、スクリーンの幅方向が上下方向となり、スクリーンの幅方向は、スクリーンの巻き取り方向と直交する方向になる。
【０００７】
前記スクリーンの巻き取り方向両端のそれぞれに、前記支軸を備えさせ、前記スクリーンの一端に備えた支軸に吊り下げ部材を備えさせ、前記吊り下げ部材にて吊り下げることによりほぼ水平姿勢で上側に位置する吊り下げ用支軸と、この吊り下げ用支軸の下方にほぼ水平姿勢で位置し、かつ、前記スクリーンの他端に備えた巻き取り用支軸とから構成して、特にスクリーンを吊り下げて上下姿勢で使用する場合に、前述のようにスクリーンの重量が支軸に加わった場合でも、支軸が湾曲することがなく、皺の発生のない良好な状態で使用することができる。
【０００８】
前記引っ張り手段が、前記支軸の長手方向両端にそれぞれ開口される開口部を閉じるためのキャップに前記支軸の長手方向に移動自在な状態で貫通された螺子体と、前記螺子体の先端に螺合されると共に前記スクリーンに連結された連結部材とから構成されている。
【０００９】
前記螺子体が、前記連結部材に螺合される螺子部と、この螺子部の前記キャップ側の端部に備えられると共に該キャップ外部に突出して指で回転操作可能な回転操作部とから構成することによって、螺子体をドライバーなどの工具にて操作するものに比べて、螺子体の回転操作を迅速に行うことができる。
【００１０】
前記キャップが合成樹脂にて形成され、前記キャップを成型するための金型内に前記螺子体の頭部を入れて合成樹脂を流し込むことにより該キャップと該螺子体とを一体化してもよい。
【００１１】
前記引っ張り手段を、前記係止保持手段のスクリーンの幅方向の端部に一端が固定されかつ前記支軸内部から外部に向けて突出している螺子体と、前記螺子体の突出端に螺合されると共に前記支軸の開口部を閉じるためのキャップとから構成してもよい。
【発明の効果】
【００１２】
請求項１の発明によれば、スクリーンの幅方向一端を他端に対して幅方向外方側へ引っ張って引張力を調節する引っ張り手段を支軸に設けるだけの簡素な構成で、気温変化によるスクリーンの伸びなどが発生した場合でも、所定の引張力をスクリーンに常に付与して、スクリーンに皺が発生することを確実に回避することができ、良好な映像を映し出すことができると共に組み立て作業面においても有利な映写用スクリーン装置を提供することができる。
しかも、スクリーンを上下方向に吊り下げて使用する場合に、支軸内でスクリーンの端部を（左右）幅方向で張ることにより、軽量化を図ることができながらも支軸に加わるスクリーンの重量にて支軸が湾曲変形することがなく、支軸の変形による皺の発生がなく、より一層良好に使用することができる商品価値の高いものにすることができる。
【００１３】
請求項２の発明によれば、特にスクリーンを吊り下げて上下姿勢で使用する場合に、請求項１と同様にスクリーンの重量が支軸に加わった場合でも、支軸が湾曲することがなく、皺の発生のない良好な状態で使用することができる映写用スクリーン装置に構成することができる。
【００１４】
請求項３の発明によれば、支軸の長手方向両端にそれぞれ開口される開口部を閉じるために本来的に備えさせるキャップに支軸の長手方向に移動自在な状態で螺子体を貫通支持させると共に、螺子体の先端とスクリーンとを連結部材にて連結するだけで、引っ張り手段を構成することができ、支軸を大きく改造することなく、スクリーンに所定の引張力を付与することができ、組み立て作業面及びコスト面において有利になる。
【００１５】
請求項４の発明によれば、螺子体が、連結部材に螺合される螺子部と、この螺子部のキャップ側の端部に備えられると共にキャップ外部に突出して指で回転操作可能な回転操作部とから構成することによって、螺子体をドライバーなどの工具にて操作するものに比べて、螺子体の回転操作を迅速に行うことができ、スクリーンの張り調節を行うメンテナンス面において有利になる。
【００１６】
請求項５の発明によれば、キャップが合成樹脂にて形成され、キャップを成型するための金型内に螺子体の頭部を入れて合成樹脂を流し込むことによりキャップと螺子体とを一体化することによって、部品点数を削減することができ、組み立て作業面及び装置の小型化を図る上において有利になる。
【００１７】
請求項６の発明によれば、螺子体が支軸の内部から外部に突出しているので、支軸の外部に突出した突出端とキャップの螺子部との螺合を、螺子体の突出端を視認しながら組み立て作業を行うことができ、組み立て作業効率を高めることができる。
【発明を実施するための最良の形態】
【００１８】
図１（ａ）に、例えばプロジェクターからの映像を映し出すための合成樹脂製（布製でもよい）の映写用スクリーン１と、その映写用スクリーン１の巻き取り方向（図では上下方向）一端（図では下端）が係止保持された水平姿勢の巻き取り用の支軸（巻き取り軸とも言う）２と、前記映写用スクリーン１の巻き取り方向他端（図では上端）が係止保持されると共にスクリーン幅方向ほぼ中央に吊り下げ部材（金具であってもよい）３を備えた水平姿勢の吊り下げ用の支軸（吊り下げ軸とも言う）４とからなる映写用スクリーン装置が示され、吊り下げ軸４にてスクリーン１を縦姿勢（上下姿勢）で吊り下げて使用することができるようになっている。ここでは、上下方向に長い長方形のスクリーン（サイズ（大きさ）は図に示すもの以外でもよい）１を縦（上下）姿勢で使用する場合を示しているが、正方形のスクリーンであってもよいし、又、２つの支軸２，４を縦向きにし、スクリーン１を横（左右）方向に広げた横（左右）姿勢で使用するようにしてもよい。尚、ここでは、下側の支軸を巻き取り軸２としたが、吊り下げ部材３を省略したり、吊り下げ部材３を支軸４内に収納可能とすることで、上側の支軸４を巻き取り軸としてもよいし、両方の支軸２，４を巻き取り軸として使用することもできる。又、ここでは、手動力により支軸２を回転させてスクリーン１を巻き取るようにしているが、例えばケーシング内に電動モータにより回転自在な巻き取り軸（前記支軸４と同一構成であってもよいし、異なる構成であってもよい）にスクリーンの一端を取り付け、そのスクリーンの他端に前記支軸２を取り付けて、電動モータの電動力によりスクリーン１をケーシング内の巻き取り軸に巻き取る構成のものにも本発明は適応できる。この場合、ケーシング内に内装した支軸４又は下側の支軸２又はそれら両方の支軸４，２に引っ張り手段７を備えさせて実施してもよい。
【００１９】
前記巻き取り軸２及び吊り下げ軸４は、吊り下げ軸４に吊り下げ部材３が取り付けられている点以外は、全く同一構成であるが、異なる構成であってもよい。
図１（ａ），（ｂ）及び図２に示すように、巻き取り軸２又は吊り下げ軸４は、スクリーン１の一端又は他端を挿入可能なスリット状の開口部２Ｋ又は４Ｋが形成された断面形状がほぼ円形で内部中空の筒体２Ａ又は４Ａを設け、この筒体２Ａ又は４Ａの内部にそれの開口部２Ｋ又は４Ｋを通して位置したスクリーン１の一端又は他端が開口部２Ｋ又は４Ｋを通して外部に移動することがないようにスクリーン１の一端又は他端を係止保持するための係止保持手段５を筒体２Ａ又は４Ａ内に備えさせ、前記筒体２Ａ又は４Ａの左右両端の開口部を閉じるための左右一対のキャップ６，６と前記スクリーン１の一端又は他端の左右両端部の間それぞれに、該スクリーン１を幅方向外方側へ引っ張るための引っ張り手段７をそれによる引張力が調節（変更）可能な状態で設けている。前記キャップ６，６を、合成樹脂にて構成する他、金属又は木などで作製することもできる。前記のように巻き取り軸２及び吊り下げ軸４の両方に、引っ張り手段７を備えさせることによって、支軸２，４自体に張りを持たせて支軸２，４自体の保形強度を上げることができるから、支軸２，４の軽量化を図ることができながらも、図１８に示すようにスクリーン１を上下姿勢で吊り下げ支持した状態において、支軸２，４が左右両端ほど下方に垂れ下がった湾曲姿勢（図１８に実線で示す姿勢）になることがなく、図１８の２点鎖線で示す一直線の状態を維持することが可能になり、支軸２，４の湾曲に起因する皺の発生を確実に回避することができるが、少なくとも一方の支軸にのみ引っ張り手段７を設けて実施することもできる。また、支軸２，４の左右両端のそれぞれに引っ張り手段７を設けることにより支軸２，４に対してスクリーン１を常にセンター位置に位置させた状態を維持することができる利点があるが、一方のみ引っ張り手段７を設けて実施することもできる。前記支軸２，４を１つのケースから構成する他、複数個に分割された複数ケースから構成することもできる。
【００２０】
前記係止保持手段５は、図２に示すように、スクリーン１の一端の表裏両面を、長さがスクリーン１の左右幅寸法よりも少し大きな寸法を有する低発泡ポリプロピレンからなる左右一対の板状の挟持部材８，８にて挟み込んでから紙綴じ器にてスクリーン１と挟持部材８，８とを綴じて固定している（接着剤を用いてスクリーン１と挟持部材８，８とを一体化してもよい）。そして、スクリーン１を挟持部材８，８にて綴じた状態の厚みＤが、筒体２Ａ又は４Ａの開口部２Ｋ又は４Ｋの円周方向の寸法Ｓよりも大きくなっているため、挟持部材８，８が取り付けられたスクリーン１の一端又は他端が筒体２Ａ又は４Ａの開口部２Ｋ又は４Ｋから外部に移動することがないようにしている。尚、前記開口部２Ｋ又は４Ｋの寸法Ｓは、実際にはスクリーン１の厚みよりも少し大きな寸法に設定している。前記低発泡ポリプロピレンからなる左右一対の板状の挟持部材８，８を用いることによって、挟持部材８，８を取り付けることに伴う重量の増大化を極力抑制することができるようにしているが、金属、木、プラスチックなどの他の材料で挟持部材８，８を構成してもよい。又、前記挟持部材８，８は、スクリーン１の幅方向全域に渡る長さに構成したが、スクリーン１の左右端部それぞれの一部のみを覆う寸法であってもよい。
【００２１】
前記筒体２Ａ又は４Ａの開口部２Ｋ又は４Ｋには、筒体内部に向かって延びる一対の延出部２Ｂ，２Ｂ又は４Ｂ，４Ｂが内部側ほど離間して両者の間隔が大きくなるように折り曲げ形成されており、延出部２Ｂ，２Ｂ又は４Ｂ，４Ｂが無い構成である場合に、筒体２Ａ又は４Ａに形成される開口部２Ｋ又は４Ｋにあるエッジ（角部）にスクリーン１の表面又は裏面が接触して傷付けてしまうことを回避することができるだけでなく、延出部２Ｂ，２Ｂ又は４Ｂ，４Ｂ先端のエッジ（角部）２Ｃ，２Ｃ又は４Ｃ，４Ｃを大きく離すことによって、前記挟持部材８，８の一部（上端又は下端）を延出部２Ｂ，２Ｂ又は４Ｂ，４Ｂ間に入り込ませることができ、開口部２Ｋ又は４Ｋを通して挿入されるスクリーン１の表面又は裏面に該エッジ（角部）２Ｃ，２Ｃ又は４Ｃ，４Ｃが接触して傷付けることを確実に阻止することができるようにしているが、前記延出部２Ｂ，２Ｂ又は４Ｂ，４Ｂを省略してもよい。この場合には、加工に手間がかかる欠点はあるが、前記エッジを削ることにより角を取り除いて丸くすることによりスクリーン１の表面又は裏面に傷が付かないようにして実施することになる。
【００２２】
前記左右の引っ張り手段７，７は、同一構成であるため、一方（右側）の引っ張り手段７についてのみ説明する。図１（ｂ）及び図２に示すように、前記スクリーン１の端部を挟持している挟持部材８，８の左右一端の特定箇所に貫通孔（図示せず）を形成し（スクリーン１にも挟持部材８，８と同一箇所に貫通孔を形成することになる）、その貫通孔に平面視ほぼコの字状の金具（連結部材）９の両端に形成の貫通孔をスクリーン１の厚み方向両側から位置させてからビス１０を用いて固定し、有底円筒状の前記キャップ６の円形状底板のほぼ中心に形成の貫通孔６Ａに通した螺子体としてのビス１２の螺子部１２Ａ先端を金具９に形成の螺子部９Ａに螺合している。従って、ビス１２をそれの頭部１２Ｂにドライバーなどの工具を係止して一方向に回転操作することによって、金具９をキャップ６側へ引き寄せたり、又ビス１２を他方向に回転操作することによって、金具９をキャップ６側から離れる側へ移動させることができ、スクリーン１に対する引張力を調節（変更）することができるように引っ張り手段７を構成している。前記金具９をスクリーン１とビス１２とを連結するための連結部材と称する。図２では、連結部材９と挟持部材８，８との間に隙間のない状態のものを示しているが、隙間のある状態であっても構わない。
【００２３】
前記連結部材を、図３に示すように、キャップ６の内面に接するほぼＣ字状の本体部１３Ａと、この本体部１３Ａの遊端部からスクリーン幅方向に延びて挟持部材８，８を両側から挟み込む一対の板部１３Ｂ，１３Ｂとからなる金具１３にて構成してもよい。このように構成することによって、ビス１２を回転操作している最中に本体部１３Ａがキャップ６内面に摺接することによる摺接抵抗により金具１３を回転し難いものにすることができる利点がある。図３に示す１３Ｎは、ビス１２の螺子部１２Ａ先端を螺合させるために前記本体部１３Ａに形成した螺子部である。
【００２４】
また、図４に示すように、紙綴じ器にて綴じられた多数の綴じ金１４のうちの左右端部に位置する綴じ金１４に針金１５を通すと共にその針金１５の両端を板状の金具１６の下側箇所（ビス１２と上下方向で重複しない箇所）に貫通して連結固定し、ビス１２の螺子部１２Ａ先端を金具に形成の螺子部１６Ａに螺合して連結して、前記連結部材を構成してもよい。
又、前記連結部材を、図５に示すように、平面視ほぼＬ字状の金具１７であってもよい。この金具１７に形成の螺子部１７Ａにビス１２の螺子部１２Ａ先端を螺合させて連結するのである。
【００２５】
図１〜図５では、挟持部材８，８にて筒体２Ａ又４Ａからのスクリーン１の外部への移動を阻止するようにしたが、図６に示すように、挟持部材８，８を省略して構成の簡素化を更に図るようにしてもよい。具体的には、金具９の上端又は下端が延出部２Ｂ，２Ｂ又は４Ｂ，４Ｂの先端部に接当することにより、筒体２Ａ又４Ａからのスクリーン１の外部への移動を阻止するものである。この場合、スクリーン１の貫通孔に鳩目１８を備えさせることによって、スクリーン１に引張力が加わった時に貫通孔が大きくなることがないようにスクリーン１を補強することにより、長期間に渡って良好に使用することができる。
【００２６】
前記キャップ６から外部に突出したビス１２の頭部１２Ｂに工具を係止してビス１２を回転操作する構成に代えて、例えば図７に示すように、ビス１２の頭部に指で回転操作可能な回転操作部１９Ｂを備えさせた化粧ビス１９を用いることによって、工具なしでスクリーン１に対する引張力を迅速に調節することができるように構成してもよい。前記ビス１２の頭部を回転操作部１９Ｂを成型する金型内に挿入した状態で合成樹脂を流し込んで両者を一体化したり、ビス１２と回転操作部１９Ｂとを合成樹脂により一体形成して実施することもできる。
又、前記ビス１２の頭部１２Ｂを、図８に示すように合成樹脂製のキャップ６にインサート成型により備えさせることによって、部品点数を削減することができる。この場合、図８のようにビス１２の頭部１２Ｂを、どの部分においてもほぼ同一の厚みで偏平な薄板状のものから構成することによって、キャップ６の底部６Ｂの厚みが厚くなることをできるだけ抑制することができる。しかも、スクリーン１の幅方向にある程度寸法を有する掴みやすいキャップ６を回転操作することによって、図７で示したものに比べて、指の力を効率よくキャップ６に伝えてキャップ６を容易に回転操作することができる利点がある。
【００２７】
前述したように、スクリーン１の幅方向両端のそれぞれに、引っ張り手段７を備えさせることによって、筒体２Ａ又４Ａに対するスクリーン１の左右位置をセンターに位置させることができる利点があるが、図９に示すように、スクリーン１の一端をコイルスプリング（板バネやゴムなど弾性付勢力を有するものであればどのようなものでもよい）２０にてキャップ６側へ引っ張り付勢し、他端に引っ張り手段７を設けて実施してもよい。図９において、２１は、コイルスプリング２０の一端をスクリーン１側に係止保持するためにビス１０にてスクリーン１端部に取り付けた係止金具であり、２２は、前記コイルスプリング２０の他端を係止保持するためにキャップ６側に一体形成した係止部であるが、他の構成であってもよい。
【００２８】
図１や図２では、支軸２又は４内に一端側から挿入して外部から容易に見えない位置にある金具９の螺子部９Ａに、キャップ６の貫通孔６Ａに通したビス１２の先端を見当を付けてねじ込むことにより映写用スクリーン装置の組み立て作業を行うようにしているが、金具９の螺子部９Ａにビス１２の先端を合致させてねじ込むことが直ちに行いにくい場合があり、その点を改良したものを、図１０及び図１１に示している。つまり、支軸２又は４内に挿入された状態の金具２１のキャップ６側端部に螺子体１２を、それのキャップ６側端部が支軸２又４内から外側に突出する状態で備えさせ、その螺子体１２の突出端１２Ｃにそれを目視しながらキャップ６に形成の螺子部６Ｃを容易かつ迅速に螺合させることができるようにしている。詳述すれば、前記金具２１は、ほぼ平行に向き合って、前記挟持部材８，８を挟持する板部２１Ａ，２１Ａと、これら板部２１Ａ，２１Ａをキャップ６側端同士で連結する連結部２１Ｂとからなり、この連結部２１Ｂに螺子体１２の一端が固定されて、キャップ６とスクリーン１とを連結する連結部材を構成している。又、前記金具２１は、前記スクリーン１を挟持している挟持部材８，８のスクリーン１の幅方向の両端部それぞれの特定２箇所に貫通孔（図示せず）を形成し（スクリーン１にも挟持部材８，８と同一箇所に貫通孔を形成することになる）、その貫通孔に前記金具２１の板部２１Ａ，２１Ａに形成の貫通孔を合わせてからビス１０，１０を用いて固定する。また、螺子体１２の長手方向の一端は、前記支軸２（４）の内部にあり、もう一端は該支軸２（４）の内部から外部に突出して突出端１２Ｃとなっており、支軸２（４）の端面から螺子体１２の突出端１２Ｃまでの距離（突出長さ）Ｌは図１０（ａ）に示されるものに限定されるものではなく、キャップ６の大きさやスクリーン１に対する引張力の調節量に応じて自由に変更可能である。尚、螺子体１２は、長手方向全域に渡ってねじ部を形成しているものに限らず、キャップ６側端から所定位置までの間のみねじ部を形成しているものであってもよい。また、前記支軸の開口部を閉じるためのキャップ６は、前記突出端１２Ｃを螺合する螺子部６Ｃを備え、該螺子部６Ｃと該突出端１２Ｃとが螺合可能としている。したがって、キャップ６を前記螺子部６Ｃを中心に回転操作することで、前記金具２１をキャップ６側に引き寄せたり、又キャップ６を他方向へ回転操作することによって、前記金具２１をキャップ６から離れる側に移動させることができ、スクリーン１に対する引張力を調節（変更）することができるように引っ張り手段７を構成している。また、図１０（ａ）に示すように、前記突出端１２Ｃと前記螺子部６Ｃとを螺合するときには、該突出端１２Ｃが支軸２の外部に突出しているため、該突出端１２Ｃを該螺子部６Ｃに合わせて螺合する際には、支軸２（４）の外部から突出端１２Ｃを目視しながら作業を行うことができ、突出端１２Ｃと螺子部６Ｃとの螺合作業（組み立て作業）を容易かつ迅速に行うことができる。図１０及び図１１では、２本のビス１０，１０によって金具２１を挟持部材８，８及びスクリーン１に挟持しているが、図１や図２などで示しているように１本のビス１０、３本以上のビス１０によって挟持するようにしてもよい。
【００２９】
さらに、図１０（ｂ）に示すように、前記キャップ６の内部底面６Ｄと前記連結部２１Ｂとが接当したときに、スクリーン１の幅方向端部１Ａと該キャップ６の上端面６Ｅが接当しないように引っ張り手段７を構成すると、前記キャップ６を螺子部６Ｃを中心に回転操作を行って、金具２１をキャップ６側に引き寄せすぎたときも、先にキャップ６の内部底面６Ｄに連結部２１Ｂが接当してそれ以上のスクリーン１のキャップ６側への移動が阻止されることから、キャップ６がスクリーン１に接触することがなく、スクリーン１を傷付けることがない。また、図１２に示すように、キャップ６の内部底面６Ｄに、前記支軸２（４）の開口端部が入り込む溝部６Ｆを設けることによって、図１０に比べて、キャップ６の内部底面６Ｄに連結部２１Ｂが接当する時期を早めることができ、スクリーン１の引っ張り力の限界位置を手前にすることで、スクリーン１を無理に引っ張ってスクリーン１が伸びたり破損することを回避することができるようにしてもよい。
【００３０】
キャップ６を、図１３（ａ），（ｂ）に示すように、中心部に螺子部６Ｃを備え、外周面の上端２箇所に係合により共回りを阻止するための係合用リブ６Ｉを備える内部キャップ６Ｇと、該内部キャップ６Ｇを内嵌する外部キャップ６Ｈ、前記内部キャップ６Ｇの上面に接当した状態で配置され、外周の２箇所に前記外部キャップ６Ｇに固定するための固定用リブ６Ｕを備える化粧用の蓋部６Ｖの３つの部材で構成してもよい。外部キャップ６Ｈには、前記係合用リブ６Ｉ及び固定用リブ６Ｕの両方を係合する係合用凹部６Ｔを内周面の上端２箇所に備えている。外部キャップ６Ｈの外周面の全体には、回転方向と直交する方向に沿う多数の溝が設けられ、該キャップ６を滑ることなく確実に回転させることができるようになっている。前記蓋部６Ｖに前記突出端１２Ｃが接当して、スクリーン１の引っ張り力の限界位置とすることができる。前記スクリーン１の大きさなどによっては、例えばキャップ６からの回転力を螺子体１２へ確実に伝達するために前記螺子体１２の直径を変更する場合などは、該螺子体１２の直径に対応した直径を有する螺子部６Ｃを備える内部キャップ６Ｇに変更するだけで済み、外部キャップ６Ｈ及び蓋部６Ｖを共通の部材として用いることができる。なお、図１３では内部キャップは係合用リブ６Ｉを、蓋部６Ｖは固定用リブ６Ｕをそれぞれ備えているが、係合用リブ６Ｉ及び固定用リブ６Ｕを備えずに円筒形の形状であってもよい。
【００３１】
又、図１４（ａ），（ｂ）に示すように、前記キャップ６を１つの部材から構成してもよい。つまり、キャップ６の成型時において、キャップ６の内部に螺子部６Ｃを備えた円筒部６Ｋとこの円筒部６Ｋの外周面とキャップ６の内面との間をほぼ十字状に連結する４つの縦リブ６Ｊ，６Ｊ，６Ｊ，６Ｊとを一体成形することによって、図１３で示した２つの部材を組み付ける作業が不要になる利点がある。
【００３２】
又、図１５（ａ），（ｂ）に示すように、前記キャップ６を、キャップ本体６Ｌと、前記キャップ本体６Ｌに形成の六角形状の凹部６Ｑ内に入り込み、前記ビス１２（図１０参照）に螺合する長ナット６Ｍと、長ナット６Ｍがキャップ本体６Ｌの凹部６Ｑ外へ離脱することを接当阻止する円形板状の蓋部６Ｎとの３つの部材から構成してもよい。前記キャップ本体６Ｌの内部底面６Ｄとは反対側の外部底面６Ｐのほぼ中心部には、前記長ナット６Ｍを嵌合する前記凹部６Ｑを備え、前記ビス１２（図１０参照）が内部底面６Ｄから長ナット６Ｍに螺合可能となるように内部底面６Ｄから凹部６Ｑまで貫通する貫通孔６Ｒを備え、外周面全体には、回転方向と直交する方向に沿う多数の溝が設けられ、該キャップ６を滑ることなく確実に回転させることができるようになっている。なお、長ナット６Ｍの軸方向の長さによって、前記螺子体１２（図１０参照）が螺合したときのスクリーン１の引っ張り強度の限界位置を長くすることができる。
又、図１６に示すように、前記キャップ６をキャップ本体６Ｌと、前記長ナット６Ｍよりも短いナット６Ｍと、断面形状がほぼコの字状の蓋部６Ｓとによって構成することもできる。このように蓋部６Ｓをコの字状とすることで、蓋部６Ｓの内側面とナット６Ｍ（キャップ本体６Ｌ）の端面との間にビス１２（図１０参照）が突出可能なスペースを設けることができることから、短い寸法のナット６Ｍであっても、引っ張り調節量を増大させることができる。
【図面の簡単な説明】
【００３３】
【図１】（ａ）は映写用スクリーン装置の斜視図であり、（ｂ）はそれの下端側の要部を示す断面図である。
【図２】映写用スクリーン装置の右端側を示す分解斜視図である。
【図３】別の連結部材を備えた映写用スクリーン装置の下端側の要部を示す分解斜視図である。
【図４】別の連結部材を備えた映写用スクリーン装置の下端側の要部の分解斜視図である。
【図５】別の連結部材を備えた映写用スクリーン装置の下端側の要部を示す分解斜視図である。
【図６】挟持部材を省略した映写用スクリーン装置の下端側の要部を示す分解斜視図である。
【図７】別の螺子体を装着した映写用スクリーン装置の下端側の要部を示す断面図である。
【図８】別の螺子体を装着した映写用スクリーン装置の下端側の要部を示す断面図である。
【図９】コイルスプリングにてスクリーンの一端を弾性付勢するための構成を示す映写用スクリーン装置の下端側の要部を示す分解斜視図である。
【図１０】（ａ）は螺子体を固定している金具にキャップを螺合する直前の状態を示す要部の断面図、（ｂ）は螺子体を固定している金具にキャップを螺合した状態を示す要部の断面図である。
【図１１】螺子体を固定している連結部材を備えた映写用スクリーン装置の右端側を示す分解斜視図である。
【図１２】キャップ内部に溝部を備えた映写用スクリーン装置の下端側の要部を示す断面図である。
【図１３】（ａ）は３つの部材によって構成されたキャップの斜視図であり、（ｂ）はキャップを映写用スクリーン装置の下端側に取り付けたときの断面図である。
【図１４】（ａ）は内部にリブ構造を備えるキャップの斜視図であり、（ｂ）はそのキャップの断面図である。
【図１５】（ａ）は３つの部材によって構成されたキャップの斜視図であり、（ｂ）はそのキャップの断面図である。
【図１６】断面がコの字状の蓋部によって構成されたキャップの断面図である。
【図１７】従来の映写用スクリーン装置の下端側の要部を示す断面図である。
【図１８】従来の映写用スクリーン装置を吊り下げ支持した状態を示す正面図である。
【符号の説明】
【００３４】
１  スクリーン（映写用スクリーン）
１Ａ  幅方向端部        ２  支軸（巻き取り軸）
２Ａ  筒体              ２Ｂ  延出部
２Ｃ  角部（エッジ）    ２Ｋ  開口部
３  吊り下げ部材        ４  支軸（吊り下げ軸）
４Ａ  筒体              ４Ｂ  延出部
４  角部（エッジ）      ５  係止保持手段
６  キャップ            ６Ａ  貫通孔
６Ｂ  底部              ６Ｃ  螺子部
６Ｄ  内部底面          ６Ｅ  上端面
６Ｆ  溝部              ６Ｇ  内部キャップ
６Ｈ  外部キャップ      ６Ｉ  係合用リブ
６Ｊ  縦リブ            ６Ｋ  円筒部
６Ｌ  キャップ本体      ６Ｍ  ナット（長ナット）
６Ｎ  蓋部              ６Ｐ  外部底面
６Ｑ  凹部              ６Ｒ  貫通孔
６Ｓ  蓋部              ６Ｔ  係合用凹部
６Ｕ  固定用リブ        ６Ｖ  蓋部
７  引っ張り手段        ８  挟持部材
９  金具（連結部材）    ９Ａ  螺子部
１０  ビス              １２  ビス（螺子体）
１２Ａ  螺子部          １２Ｂ  頭部
１２Ｃ  突出端          １３  金具
１３Ａ  本体部          １３Ｂ  板部
１３Ｎ  螺子部          １４  綴じ金
１５  針金              １６  金具
１６Ａ  螺子部          １７  金具
１７Ａ  螺子部          １８  鳩目
１９  化粧ビス          １９Ｂ  回転操作部
２０  コイルスプリング  ２１  金具
２１Ａ  板部            ２１Ｂ  連結部
３０  綴じ金            ３１  針金
３２  支軸              ３３  キャップ
Ｓ  寸法                Ｗ  皺
【図１】
2006154854.tif 000003
【図２】
2006154854.tif 000004
【図３】
2006154854.tif 000005
【図４】
2006154854.tif 000006
【図５】
2006154854.tif 000007
【図６】
2006154854.tif 000008
【図７】
2006154854.tif 000009
【図８】
2006154854.tif 000010
【図９】
2006154854.tif 000011
【図１０】
2006154854.tif 000012
【図１１】
2006154854.tif 000013
【図１２】
2006154854.tif 000014
【図１３】
2006154854.tif 000015
【図１４】
2006154854.tif 000016
【図１５】
2006154854.tif 000017
【図１６】
2006154854.tif 000018
【図１７】
2006154854.tif 000019
【図１８】
2006154854.tif 000020